(57)【要約】  子供が容易に操作できない蓋持ち上げ式の容器が開示される。この容器は、筐体、持ち上げ式の内側キャップ、外側ロックキャップを含む。外側のロックキャップは、持ち上げ式の内側キャップと係合、その内側キャップの周りに回転可能である。筐体は、容器をロックするために、ロックキャップの上向きの接合部と係合する通常下向きの接合部を含み、内側のキャップが開くことを防ぐ。容器は、外側のロックキャップを接合部のかみ合わせから離すために回転することにより、持ち上げ式の内側キャップが持ち上げれることを可能にし、開けられる。外側のロックキャップは、筐体のバネ係合面に係合する少なくとも１つのバネを含み、外側のロックキャップは、接合部との係合を離すことを助けるために回転されたとき、外側のキャップがその閉まった、ロックされた位置に戻ることを可能にする
2009528959.tif 000002
【特許請求の範囲】
【請求項１】
蓋持ち上げ式の容器であって、
（ａ）容器が直立しているときに容器の上部を画定する開口部と、開口部を画定し、開口部の平面に実質的に位置するリムと、前記リムの外側に位置するマージンと、前記マージンの横方向に突出した通常下向きの接合部と、を備えた筐体と、
（ｂ）前記リム上に着座するような寸法及び構造の着座部材を有するリフトオフキャップと、
（ｃ）前記キャップと係合するロックと、
を備え、
前記ロックは、
前記リムに通常垂直な軸の周りに前記キャップに対して回転可能であり、
容器の下向きの接合部と係合するように通常付勢された上向きの接合物を備え、前記キャップが持ち上げられて外されることを防止し、
前記下向きの接合部と前記上向きの接合部とを係合から外し、前記キャップが持ち上げられて前記容器が開くために付勢に逆らって回転可能であり、
蓋持ち上げ式の容器。
【請求項２】
前記リフトオフキャップが、ヒンジによって前記筐体に連結されている、請求項１に記載の蓋持ち上げ式の容器。
【請求項３】
前記着座部材が溝を有し、前記リムが前記溝内に着座する、請求項１または２に記載の蓋持ち上げ式の容器。
【請求項４】
前記リムが数珠状である請求項１から３のいずれか１つに記載の蓋持ち上げ式の容器。
【請求項５】
前記リムと前記溝とが密封を形成する、請求項３または４に記載の蓋持ち上げ式の容器。
【請求項６】
前記ロックが、少なくとも１つのバネを備える、請求項１から５のいずれか１つに記載の蓋持ち上げ式の容器。
【請求項７】
前記上向きの接合部と前記下向きの接合部のかみ合わせをはずすために、前記ロックが回転されたときに、前記バネと係合する接合部を前記ヒンジが備えている、請求項６に記載の蓋持ち上げ式の容器。
【請求項８】
前記バネが、前記ロックと一体になった板バネである、請求項６または７に記載の蓋持ち上げ式の容器。
【請求項９】
前記筐体が、肩部を備え、
前記肩部は、前記ロックが回されたとき、バネを放射状に外側に曲げる上方に突出した突起を備える、
請求項１から８のいずれか１つに記載の蓋持ち上げ式の容器。
【請求項１０】
前記ロックが、第１のバネと、第２のバネとを備え、
前記ヒンジが、第１の接合部と、第２の接合部とを備え、
前記第１の接合部が、前記ヒンジの一方の側面に位置し、
前記第２の接合部が、前記ヒンジのもう一方の側面に位置し、
前記ロックが時計方向に回されたとき、前記第１の接合部は、前記第１のバネと係合、
前記ロックが反時計方向に回されたとき、前記第２の接合部は、前記第２のバネと係合する、
請求項６から８のいずれか１つに記載の蓋持ち上げ式の容器。
【請求項１１】
前記リフトオフキャップが、円周の軸の周端部のフランジであるピボットフランジを画定する隆起した表面を有し、
前記ロックが、その内部の表面の少なくとも一部に円周の溝を有し、
前記リフトオフキャップの前記ピボットフランジが、前記キャップの前記ロックに係合するために、前記ロックの前記円周の溝にはめ込まれる、
請求項１から１０のいずれか１つに記載の蓋持ち上げ式の容器。
【請求項１２】
前記リフトオフキャップが、前記ピボットフランジの半径方向に外側に円周の溝を有し、
前記ロックが、前記ロック内の前記円周の溝の下に前記ロックの内側の面の少なくとも一部の周りに円周状に拡張されたピボットフランジを有し、
前記ロックの前記ピボットフランジが、前記リフトオフキャップ内の円周の溝内に受け入れられる、
請求項１１に記載の蓋持ち上げ式の容器。
【請求項１３】
子供が容易に操作できない蓋持ち上げ式の容器であって、
（ａ）容器が直立しているとき容器の上部を画定する開口部であって、その開口部の存在する平面に実質的に位置するリムによって画定される開口部と、リムの外に存在しているマージンと、前記マージンの横方向に突出した通常下向きの接合部と、を備えた筐体と、
（ｂ）前記リム上に着座するように大きさを調整され、構成された着座部材を有するリフトオフキャップと、
（ｃ）前記リフトオフキャップに係合、適合するための内部のサイズを有するロックキャップと、
を備え、
前記ロックキャップは、前記リムに通常垂直な軸の周囲に、前記リフトオフキャップに対して回転可能であり、
前記ロックキャップは、前記リムから前記リフトオフキャップが離れることを防止するために、前記筐体の前記下向きの接合部に係合するように通常付勢された一般的に上向きの接合部を備え、
前記容器を開けるために前記リフトオフキャップが持ち上げられることを可能にするため、前記ロックキャップは、前記接合部との係合から離れるため付勢に逆らって回転可能である、
子供が容易に操作できない蓋持ち上げ式の容器。
【請求項１４】
前記ロックキャップが、前記ロックキャップと一体化された少なくとも１つのバネを備える、請求項１３に記載の子供が容易に操作できない蓋持ち上げ式の容器。
【請求項１５】
前記筐体が、前記ロックキャップが回転したとき、前記ロックキャップの前記バネと係合する少なくとも１つのバネ係合面を備える、請求項１４に記載の子供が容易に操作できない蓋持ち上げ式の容器。
【請求項１６】
前記リフトオフキャップが、ヒンジによって前記筐体と連結されている、請求項１３から１５のいずれか１つに記載の子供が容易に操作できない蓋持ち上げ式の容器。
【請求項１７】
前記バネ係合面が、前記ヒンジ上にある、請求項１６に記載の子供が容易に操作できない蓋持ち上げ式の容器。
【請求項１８】
前記バネ係合面が、前記筐体から上方に突出している、請求項１５または１６に記載の子供が容易に操作できない蓋持ち上げ式の容器。
【請求項１９】
前記ロックキャップが、天井面部と、覆い部と、を備え、
前記覆い部は、前記天井面部から下方に拡張された部分であり、
少なくとも１つの前記バネが、前記覆い部と一体化している、
請求項１４から１８のいずれか１つに記載の子供が容易に操作できない蓋持ち上げ式の容器。
【請求項２０】
前記リフトオフキャップは、周端部のフランジであるピボットフランジを画定する持ち上げ部を有し、
前記ロックキャップの内側は、その内側の少なくとも一部に円周に伸びる溝を有し、
前記ピボットフランジが、前記溝と係合する、
請求項１３から１９のいずれか１つに記載の子供が容易に操作できない蓋持ち上げ式の容器。
【発明の詳細な説明】
【技術分野】
【０００１】
（関連する出願）
この出願は、２００６年３月７日出願の米国仮特許出願Ｎｏ．６０／７７９，９３４を参照し、その出願の利益と、優先権を主張する。
【０００２】
（発明の分野）
本技術は、子供が容易に操作できない（チャイルドプルーフ）安全キャップと、そのようなキャップを備えた容器に関し、特には、フリップトップ（押し上げ式）の容器に有用な回転持ち上げ式のチャイルドプルーフ安全蓋を含んだ容器に関する。
【背景技術】
【０００３】
不注意による、薬剤への、特に処方された薬剤への接近から子供を保護することの必要性の認識が増加している。時々、処方された薬剤のほんの１つまた２つの錠剤の摂取が子供にとって致命的となる。その上、責任ある年齢の人、即ち、ある程度の取り扱いと手先の器用さとを要求する錠剤容器を開けるための指示を理解する認識能力を有するどんな人によっても、容易に、そして、簡単に開けられる処方された薬剤のための容器を提供することの必要性の認識も増加している。また、そのような人々には、処方された薬剤へのアクセスを得るために錠剤容器を開ける行為が慎重な行為であることと、錠剤容器中の処方された薬剤へのアクセスの必要があるときだけ錠剤容器を開ける行為を行うということと、を理解する能力があると思われる。
いくつかの従来の、「チャイルドプルーフ」とか、「チャイルドレジスタント」とか呼ばれる錠剤容器やビンが市場に出ている。それは、薬剤師が１以上の複数の錠剤、タブレット、ジェルカプセル、カプセル、またはその他もの、または、液剤の量を分配することを必要とする処方を果たすのに用いるために、一般的に調剤薬剤師によって採用される。例えば、その容器は、錠剤容器のための「押し回し」蓋、または、錠剤容器のための「矢印合わせ」蓋、を含むことができる。 
【０００４】
錠剤容器のための「押し回し」システムとは、従来、容器を開けるために、錠剤容器の蓋、または、キャップが軸方向下方に押されて同時に回されなければならないシステムのことを指す。錠剤容器のための「矢印合わせ」システムは、従来、容器の蓋を開けるために、蓋やキャップの矢印を、錠剤容器上に示された矢印（例えば容器上に型押しされた矢印）に合わせる必要のあるシステムのことを指す。しかしながら、これらの容器は、大人が使用するにもしばしば複雑である。
【０００５】
従来の容器組み立て部品は、キャップや蓋が容器に拘束されているかどうかにかかわらず、キャップを開けるのを助けるように構成された、キャップに取り付けられている固定された突起（「親指タブ」としても参照される）を有することができる。通常は、この固定された突起は、ヒンジの向かい側にあり、それ故、十分な力がその固定された突起に適用されたとき、ユーザが容器を開けるのを可能にするレバーとしての役割を果たす。
【発明の開示】
【発明が解決しようとする課題】
【０００６】
しかしながら、これらの容器は、子供によって簡単に開けられる。
それ故に、子供が容易に操作できない、けれども大人にとって簡単に開けられる改良された容器と、蓋の組み立て部品が有用である。
【課題を解決するための手段】
【０００７】
本技術の一形態は、容器と、リフトオフ（持ち上げてはずす）キャップ及びロックを備えた密封方式と、を含む子供が容易に操作できない蓋持ち上げ式（リフトトップ）容器である。
【０００８】
その容器は、リムによって画定される開口部がある。その容器は、リムの外側にあるマージンと、そのマージンから横方向に突出する通常下向きの接合部とを有する。キャップは、着座部材の大きさを設定され、リム上に着座するように構成される。
【０００９】
ロックは、キャップと連動し、キャップがリム上に着座したとき、そのリムと通常垂直である軸に関して、キャップに対して回転可能である。ロックは、容器の下向きの接合部をかみ合わせるために通常偏った上向きの接合部を含む。このかみ合わせは、持ち上げてはずされることからキャップを防ぐ。その接合部は、偏りに対してロックを回転させることによって取り外され、容器を開けるためにそのキャップが持ち上げられることを可能にする。
【００１０】
本明細書や図面に記載され、示されている付随する特徴は、独立して、または、どんな組み合わせでも、それぞれ主張することを目的とする。
【００１１】
ここに記載された本技術は、１以上の好ましい実施形態に関して述べられているが、本技術は、これらの実施形態に限定されないことを当業者によって理解されるであろう。それどころか、ここに記載された本技術は、添付の請求項の範囲と精神内に含まれることができるすべての代替物、変更品、等価品を含む。
【発明を実施するための最良の形態】
【００１２】
本技術の蓋組み立て品は、２つのコンポーネント、（１）回転する外側のキャップまたはロックと、（２）内側のフリップトップキャップと、を備える。
【００１３】
外側のロックするキャップまたはロックは、望ましくは、内側のフリップトップキャップにパチンと留められる。外側のキャップは、内側のキャップの外周に沿って位置するフランジの外観に係合する。係合したとき、外側のキャップは、静止した、回転できないフリップトップの内側のキャップを中心に回転することができる。閉じた位置において、容器のボディ上に位置する通常下向きの突起または接合部は、フリップトップが開くことを防止する通常上向きの接合部を有する外側のキャップの穴に係合する。
【００１４】
蓋を開けるためには、ユーザは、外側のキャップの穴が容器のボディ上の突起から離れて位置付けされるように、外側のキャップ、または、内側のキャップについてのロックを回す。ユーザは、回した位置において外側のキャップを保持しつつ、キャップを持ち上げる。内側のフリップトップキャップは開く。ユーザが、キャップを解放すると、外側のキャップは、バネのようなメカニズムによってその元の位置（閉まった位置）に戻る。
【００１５】
本技術の密封方式の従来の実施形態の具体的な詳細は、図を参照して議論される。
【００１６】
図を参照すると、図１〜７は、例えば、錠剤ボトルとして役立つ容器２０の実施形態を示す。最初に図２を参照すると、特に、容器２０は、筐体２２と、リフトオフキャップ２４と、外側キャップまたはロック２６と、を備えている。筐体２２は、通常まっすぐな壁で囲まれており、周囲が数珠状のリム３２によって画定された開口部３０を通してアクセスされる内部２８を有する。筐体２２は、リムの外側にあるマージン３４を有し、この実施形態においては、マージンの下位置にフランジ３６を拡張している「マージン」は、広く、底面３８上の筐体の外部のどれでも含むように画定される。フランジ３６は、輸送中や容器がうっかり落とされたとき、上向きの力が容器に係ることによってリフトオフキャップが偶然開いてしまうことを防止するように機能する。容器がぶつけられたり落とされた場合、フランジは、上向きの力がリフトオフキャップに向けられることを防ぐ。
【００１７】
筐体２２は、マージン３４から横方向に突出した通常下向きの接合部４０を有する。「下向き」とは、この文脈において、キャップ２４が持ち上げられる方向とほぼ反対方向に向かう方向を意味するように広く画定される。リム３２が、通常水平で上端に置かれるとき、「下向き」は、単純に、接合部４０が、水平または上方に向かないことを意味する。接合部４０は、直接下方または斜め下方に向く。
【００１８】
ところで、図４、５を参照すると、リフトオフキャップ２４は、より詳細に記載される。キャップ２４は、図示された実施形態において、筐体のリム３２上に位置するように構成され、大きさを調整された溝を有する着座部材４４を備える。この実施形態のリム３２は、溝４４に位置するために数珠状をなしており、密封を形成する。リム３２と溝４４とは、締まり嵌めを提供する。他の実施形態において、容器２０の目的とされる内容物次第では、密封は形成される必要がなく、場合によっては締まり嵌めも必須ではない。図示された実施形態において、キャップ２４は、天井面４６と、天井面４６から垂れ下がる覆い４８と、親指タブ５０とを有している。ある容器が、子供が容易に操作できない仕組みの必要が無いとき、図５に示される同じキャップ２４と筐体２２の組み立て品が、ロック２６を着座することなくフリップトップ容器として機能することができるように親指タブ５０は提供される。
【００１９】
特に、図５を参照すると、キャップ２４は、おおよそマッシュルーム形状をした頭頂部５２も有する。頭頂部５２は、ロック２６を受け入れ、それと協調するためのピボットフランジ５４の範囲を確定する広い部分またはヘッドと、ヘッドの真下に狭いネック５６と、を有する。ピボット溝５８は、ピボットフランジ５４と、半径方向に外側のネック５６と、の下で範囲を決められる。
【００２０】
図示された実施形態において、筐体２２は、例えば、一体成形ヒンジであることができるヒンジ６０によってリフトオフキャップ２４と連結されている。図示された実施形態において、ヒンジ６０は、筐体２２と、リフトオフキャップ２４と、ともに一体成形により一体的に形成される。これらの部品は、その代わりに、１以上の部品として加工され、組み立てられることができる。ヒンジ６０も必要不可欠ではなく、削除することができ、または、限定されることなく、拘束するか、他の捕まえる配置によって置き換えることができる。この実施形態において、ヒンジ６０は、バネ接合部６１と６２の範囲の画定もする。
【００２１】
ロック２６の一部が、図３と６とに特に示される。この実施形態におけるロック２６は、天井面６４と、使用中にリフトオフキャップ２４をカバーし、ロック２６がかみ合っている間、キャップ２４がはずれることを防止する垂れ下がる覆い６６と、を含んだ外側のキャップとして構成される。ロック２６は、筐体の下向きの接合部４０と係合するように適合され、通常偏らされた上向きの接合部６８を最低限含む。ここで、図１〜３に示される、リム３２が通常水平で上端に置かれ、ロック２６がその鍵締め位置にあるとき、「上向き」は、単純に、接合部６８が、水平または下方に向かないことを意味する。接合部４０は、直接上方または斜め上方を向くことができる。
【００２２】
図６に戻って、図示された実施形態は、さらなる特徴を含む。ピボットフランジ７０は、覆い６６の少なくとも一部の周りに拡張して提供され、ピボットフランジ７０の上にピボット溝７２の範囲が画定される。少なくとも１つのバネ、この実施形態においては一組の板バネ７４と７６とが、提供される。覆い６６の残った部分の剛比によって拘束されず自由に曲げることができるように、バネ７４は、この実施形態において、覆い６６の穴７８を周囲に拡張し、バネ７４の周囲の部分を解放することによって形成される。バネ７４は、覆い６６と一体に形成され、この実施形態において、ヒンジ接合部８０を有する。バネ７６は、同様に穴８２によって部分的に規定され、ヒンジ接合部８４を有する。この実施形態において、覆い６６の内側は、親指タブ収納部も有する。
【００２３】
図５と６を参照すると、ロック２６とキャップ２４は、キャップ２４（図５）のピボットフランジ５４をロック２６（図６）のピボット溝７２にパチンとはめ込むことによって組み立てられる。それにより、ロック２６のピボットフランジ７０が、キャップのピボット溝５８に受け入れられる。ピボット溝７２を受け入れるために、天井面４６のリムまたはフランジをキャップの覆い４８の外側に放射状に拡張することによっても同様の結果を得られる。結果として、この実施形態において、ロック２６は、キャップ２４上で捕獲され、回転可能である。キャップ２４がリム３２上に位置しているとき、ロック２６は、リム３２と通常垂直である軸について、キャップ２４に対して回転可能である。この捕獲特性は、ロックが、キャップ２４から容易に持ち上げられることを防ぐ。
【００２４】
キャップ２４とロック２６とが、通常の使用のために組み立てられるとき、筐体の下向きの接合部４０は、ロック２６の上向きの接合部６８と円周方向に合わせられる。更に、図３に最も良く示されるように、接合部８０と８４（図６）のヒンジは、バネ接合部６１と６２（図４）に隣接している。斜めバネ７４と７６は、緩められたとき、接合部４０と６８が係合するように付勢し、容器２０をロックする。
【００２５】
接合部４０と６８は、バネ７４か７６の１つによる付勢に逆らってロック２６を回すことによって係合からはずされ、ロック２６の接合部６８を横方向にずらし、キャップ２４が、容器２０を開けるために持ち上げられることを可能にする。これは、図３と７とを比較することによって示される。図３において、ロック２６は、その静止位置であり、接合部４０と６８は、係合、バネ７４は、緩んでおり覆い６６と同一ライン上にとどまり、容器２０はロックされる。図７において、ロック２６は、筐体２２に対して反時計回りに回され、バネ７４のヒンジ接合部８０とヒンジ６０のバネ接合部６１のかみ合わせにより、バネ７４を曲げる。その付勢に逆らってロック２６を動かすことは、バネ７４を曲げる。容器を開けるために、ロック２６の移動を保った状態の間、接合部４０と６８は、かみ合わせをはずされ、カバーは、図７に示される、その位置から持ち上げられることができる。ロック２６は、筐体２２に対して時計回りにも回れることができ、バネ７６のヒンジ接合部８４と、ヒンジ６０のバネ接合部６２と、のかみ合わせによりバネ７６が曲がる。また一方、接合部４０と６８は、係合がはずされ、カバーは、容器から持ち上げられることができる。
【００２６】
代わりの実施形態において、バネ７４か７６のうち１つだけが必要であり、もう一つは、１個のバネの付勢に逆らってロック２６がただ１方向にのみ回転することを可能にする固定された接合部に置き換えられることができる。
【００２７】
図８〜１１は、容器９０が、およそ四角の面と肩部９２とを有するボトル形状の筐体９８を含んだ、本技術の密封方式の第２の実施形態を示す。容器９０の機構部分は、ここで示される場合を除いて、容器２０のそれらと同様である。図８〜１１の実施形態において、図９に示されるように、表面をかみ合わせるバネは、ヒンジ９６の一部ではなく、むしろ、筐体９８の肩部９２から上方に突出する接合部９４または突起である。図９と１０に関しても、ロック１０６上のバネ１０２の接合部１００は、ロック１０６の覆い１０４に対して半径方向に外側に動かされる。図９に示されるように、接合部１００が、接合部９４に沿って半径方向に外側にスライドするカムとして状況に応じて作動できるような角度に、接合部９４は置かれ、接合部９４は、回転に逆らった必要な付勢を発生させるためにバネ１０２を半径方向に外側に曲げる。この配置は、バネ１０２上にてこの作用を働かせる。
【００２８】
図９は、この実施形態において、リフトオフキャップ２４の内側の下に左右される、覆い１０４を補強するための例えば１０８のような補強突起も表している。
【００２９】
図１１は、図８〜１０の実施形態に関して示される容器のどちらの実施例でも開けるために必要なステップを表す。ステップ１０８は、１つの手で筐体９８を握るユーザを表す。その次に、ステップ１１０に示されるように、ロック１０６は、筐体９８に対して回転させられる。最後に、１１２で示されるように、バネ１０２の付勢に逆らったその移動した位置にロック１０６を保ちながら、ロック１０６と、基礎をなすキャップとは、そのヒンジに対してめくられる。その結果、ステップ１１４に示されるように、容器は開く。
【００３０】
本発明は、当業者が同じものを実施できるように、十分な、明確な、簡潔な、正確な言葉で記載された。前述のものは、本発明の好ましい実施形態と実施例を記載したもので、請求項に記載された本発明の範囲または精神から離れることなく変更を加えられることが理解されるべきである。
【図面の簡単な説明】
【００３１】
【図１】締めてロックしたときの本発明の実施例の容器、キャップ、ロック部品の斜視図である。
【図２】図１と似た図であるが、そのキャップが閉まって無く開いている組み立て品を示す図である。
【図３】ヒンジと関連した要素を示す、図１の実施形態の後面斜視図である。
【図４】基礎をなす構造を示すためロックをはずした、図１の実施形態の容器とキャップ組み立て品の図である。
【図５】図４に似た図であるが、容器上に着座されたキャップを示す図である。
【図６】一般的に後ろから示される、図１の実施形態のロックの分離した斜視図である。
【図７】その偏りに対して回転されたロックを示す、図３に似た図である。
【図８】本発明の他の実施例の斜視図である。
【図９】図８に似た図であるが、閉まって無く開いているキャップを示している。
【図１０】図８に似た図であるが、接合部に対して板バネを外側にそらし、回転されたロックを示す。
【図１１】図８〜１０の実施例に注目した、その上、図１〜７の実施例のたいていの箇所にも適用できる、どのようにして容器がロック解除され開けられることができるかを示す一連の図である。
【符号の説明】
【００３２】
２０          容器
２２          筐体
２４          リフトオフキャップ
２６          ロック
２８          内部
３０          開口部
３２          リム
３４          マージン
３６          フランジ
３８          底面
４０          接合部
４４          溝
４６          天井面
５０          親指タブ
５２          頭頂部
５４          ピボットフランジ
５６          ネック
５８          ピボット溝
６０          ヒンジ
６１          バネ接合部
６２          バネ接合部
６４          天井面
６８          接合部
７０          ピボットフランジ
７２          ピボット溝
７４          バネ
７６          バネ
７８          穴
８０          ヒンジ接合部
８２          穴
８４          ヒンジ接合部
９０          容器
９２          肩部
９４          接合部
９６          ヒンジ
９８          筐体
１００        接合部
１０２        バネ
１０６        ロック
【図１】
2009528959.tif 000003
【図２】
2009528959.tif 000004
【図３】
2009528959.tif 000005
【図４】
2009528959.tif 000006
【図５】
2009528959.tif 000007
【図６】
2009528959.tif 000008
【図７】
2009528959.tif 000009
【図８】
2009528959.tif 000010
【図９】
2009528959.tif 000011
【図１０】
2009528959.tif 000012
【図１１】
2009528959.tif 000013
【国際調査報告】
2009528959.tif 000014
2009528959.tif 000015